(57)【要約】【課題】鑑賞物の表面に対して光をまんべんなく照らすことができる額縁を提供することにある。【解決手段】  絵画、写真、ポスター、賞状、ジグソーパズルその他の鑑賞物Ａ１を入れる額縁１であって、前記鑑賞物Ａ１の周囲の全部又は一部を縁取るように設置され、前記鑑賞物を支える枠１０と、前記鑑賞物Ａ１の周囲の一部に設置され、電力の供給を受けて発光する光源２０と、平板状に形成され、前記光源２０からの光を側面から受けて面発光する導光板３０とからなり、前記導光板３０は、前記鑑賞物Ａ１の表面側を覆うように設置されることを特徴とする。【選択図】図２
2015142708.tif 000002
【特許請求の範囲】
【請求項１】
絵画、写真、ポスター、賞状、ジグソーパズルその他の鑑賞物（Ａ１）を入れる額縁（１）であって、
前記鑑賞物（Ａ１）の周囲の全部又は一部を縁取るように設置され、前記鑑賞物を支える枠（１０）と、
前記鑑賞物（Ａ１）の周囲の一部に設置され、電力の供給を受けて発光する光源（２０）と、
平板状に形成され、前記光源（２０）からの光を側面から受けて面発光する導光板（３０）とからなり、
前記導光板（３０）は、前記鑑賞物（Ａ１）の表面側を覆うように設置される
ことを特徴とする額縁。
【請求項２】
請求項１に記載された額縁であって、
前記導光板（３０）には、前記光源（２０）から受けた光を反射する複数のドットパターン（４０）が形成されている
ことを特徴とする額縁。
【請求項３】
請求項２に記載された額縁であって、
前記導光板（３０）は、射出成形により形成され、
前記ドットパターン（４０）は、前記導光板（３０）に一体に取り付けられている
ことを特徴とする額縁。
【請求項４】
請求項３に記載された額縁であって、
前記ドットパターン（４０）は、前記導光板（３０）より突出するように形成された凸レンズ形状である
ことを特徴とする額縁。
【請求項５】
請求項４に記載された額縁であって、
前記ドットパターン（４０）は、全部又は一部が光を透過する透明又は半透明な部材で形成されている
ことを特徴とする額縁。
【請求項６】
全部又は一部が光を透過する透明又は半透明の部材で形成された絵画、写真、ポスター、賞状、ジグソーパズルその他の鑑賞物（Ａ２、Ａ３）を入れる額縁（１０１、２０１）であって、
前記鑑賞物（Ａ２、Ａ３）の周囲の全部又は一部を縁取るように設置され、前記鑑賞物を支える枠（１１０、２１０）と、
前記鑑賞物（Ａ２、Ａ３）の周囲の一部に設置され、電力の供給を受けて発光する光源（１２０、２２０）と、
平板状に形成され、前記光源（１２０、２２０）からの光を側面から受けて面発光する導光板（１３０、２３０）と、
前記導光板（１３０、２３０）は、前記鑑賞物（Ａ２、Ａ３）の裏面側を覆うように設置される
ことを特徴とする額縁。
【請求項７】
請求項６に記載された額縁であって、
前記導光板（１３０、２３０）には、前記光源（１２０、２２０）から受けた光を反射する複数のドットパターン（１４０、２４０）が形成されている
ことを特徴とする額縁。
【請求項８】
請求項７に記載された額縁であって、
前記導光板（１３０）は、射出成形により形成され、
前記ドットパターン（１４０）は、前記導光板（１３０）に一体に取り付けられている
ことを特徴とする額縁。
【請求項９】
請求項８に記載された額縁であって、
前記ドットパターン（１４０）は、前記導光板（１３０）より突出するように形成された凸レンズ形状である
ことを特徴とする額縁。
【請求項１０】
請求項９に記載された額縁であって、
前記ドットパターン（１４０）は、全部又は一部が光を透過する透明又は半透明な部材で形成されている
ことを特徴とする額縁。
【請求項１１】
請求項７に記載された額縁であって、
前記ドットパターン（２４０）は、前記導光板（２３０）に印刷されて取り付けられている
ことを特徴とする額縁。
【請求項１２】
請求項１１に記載された額縁であって、
前記ドットパターン（２４０）は、オフセット印刷、グラビア印刷、活版印刷、フレキソ印刷及びスクリーン印刷から選択される少なくとも１の印刷方法により印刷されている
ことを特徴とする額縁。
【請求項１３】
請求項１２に記載された額縁であって、
前記導光板（２３０）を覆い、前記ドットパターン（２４０）を隠す被覆部材（２８０）が設置される
ことを特徴とする額縁。
【請求項１４】
請求項１３に記載された額縁であって、
前記被覆部材（２８０）は、光を透過する半透明の紙又はフィルムである
ことを特徴とする額縁。
【請求項１５】
請求項２から１４のいずれか１項に記載された額縁であって、
前記ドットパターン（４０、１４０、２４０）は、前記光源（２０、１２０、２２０）に近づく側が疎らであり、前記光源より遠ざかる側が密になるように、前記導光板（３０、１３０、２３０）に取り付けられている
ことを特徴とする額縁。
【請求項１６】
請求項１から１５のいずれか１項に記載された額縁であって、
前記光源（２０、１２０、２２０）は、前記導光板（３０、１３０、２３０）の上方向側の前記側面に沿うように並べられた複数のＬＥＤである
ことを特徴とする額縁。
【発明の詳細な説明】
【技術分野】
【０００１】
本発明は、額縁に関する。さらに詳しくは、絵画、写真、ポスター、賞状、ジグソーパズル及びその他の鑑賞物に光をあてて展示する額縁に関する。
【背景技術】
【０００２】
額縁は、絵画、写真、ポスター、賞状及びジグソーパズル等を入れるための枠である。額縁は、用途に応じて、油彩額、写真額、ポスターパネル、賞状額等がある。額縁は、木材、金属、ガラス、陶器、プラスチック、漆喰、漆等の様々な材料で形成されており、中に入れる鑑賞物を装飾するものや、保護するものなど様々な用途に用いられる。額縁に入れられた装飾物には、鑑賞効果を上げるために光をあてることが良く行われている。たとえば、額縁に入れられた絵画やジグソーパズルには、外部に取り付けられたスポットライト等の外部照明で光をあてて、鑑賞効果を際立たせることができる。
【０００３】
しかし、近年、額縁と外部照明とを別々に設けることなく、額縁と照明装置とを組み合わせて一体化されたものがある。例えば、額縁には、鑑賞物の裏側に、蛍光灯、冷陰極管、面発光装置等を組み込まれたものがある。また、ライトパネルという、ポスターを飾るフレームの内部に導光板を取り付けた額縁もある。このように、額縁には、さまざまな照明器具が取り付けられており、鑑賞物に光をあてる方法も様々であるが、特許文献を基に従来の技術を説明する。
【０００４】
例えば、前面からの照明が可能であり、小型で発熱も少なく、照明むらも少ない照明機能を付加した額縁が知られている（特許文献１参照）。また、光源の光が発光面を明るくすることのために有効に利用され、しかも、光源からの遠近にかかわらず、発光面全体の明るさが一様になりやすい面発光装置が知られている（特許文献２参照）。さらに、パネル表面とその四周縁部分にも縁取り状に浮き出させる照明的作用が奏されると言う極めてユニークにしてかつ興趣性にとんだ新規のエッジライトパネルが知られている（特許文献３参照）。
【先行技術文献】
【特許文献】
【０００５】
【特許文献１】特開２００６−１８７４００号公報
【特許文献２】特開２００４−８５６７７号公報
【特許文献３】特開２０１１−９５４３９号公報
【発明の概要】
【発明が解決しようとする課題】
【０００６】
特許文献１に記載された額縁は、照明手段である発光ダイオードを点灯することにより、写真フィルムの裏側から均一に照明される。しかし、写真フィルムの表側を照明があてられないという問題があった。特許文献２に記載された面発光装置は、光源からの遠近にかかわらず、発光面全体の明るさが一様になる。しかし、板状の発光面、乱反射面及び反射面を少なくとも備えなければならず構造が複雑になるという問題があった。
【０００７】
特許文献３に記載されたエッジライトパネルは、透光性表示用シート部分に対する透光的照明の他に、パネル基板の四周縁を縁取るかのような光輝的照明がなされる。しかし、透明資材製パネル基板、導光反射板、透明資材製正面板を少なくとも備えなければならず構造が複雑になるという問題があった。つまり、従来からある額縁は、鑑賞物に対して裏面から光をあてるものが多く、額縁の枠と鑑賞物との間から漏れる光で鑑賞物を照らしているにすぎず、光が鑑賞物全体をまんべんなく照らせないという問題があった。また、従来からある額縁は、構成が複雑で部品点数が多く、組み立てに手間がかかるものが多いという問題点があった。
【０００８】
本発明は、以上のような従来の問題点を解決するために創作されたもので、次の目的を達成する。本発明の目的は、鑑賞物の表面に対して光をまんべんなく照らすことができる額縁を提供することにある。また、本発明の他の目的は、構成が単純で部品点数が少なく、組み立てが容易である額縁を提供することにある。
【課題を解決するための手段】
【０００９】
本発明は、前記目的を達成するために次の手段をとる。
本発明１の額縁は、絵画、写真、ポスター、賞状、ジグソーパズルその他の鑑賞物を入れる額縁であって、前記鑑賞物の周囲の全部又は一部を縁取るように設置され、前記鑑賞物を支える枠と、前記鑑賞物の周囲の一部に設置され、電力の供給を受けて発光する光源と、平板状に形成され、前記光源からの光を側面から受けて面発光する導光板とからなり、前記導光板は、前記鑑賞物の表面側を覆うように設置されることを特徴とする。
【００１０】
本発明２の額縁は、本発明１において、前記導光板には、前記光源から受けた光を反射する複数のドットパターンが形成されていることを特徴とする。
【００１１】
本発明３の額縁は、本発明２において、前記導光板は、射出成形により形成され、前記ドットパターンは、前記導光板に一体に取り付けられていることを特徴とする。
【００１２】
本発明４の額縁は、本発明３において、前記ドットパターンは、前記導光板より突出するように形成された凸レンズ形状であることを特徴とする。
【００１３】
本発明５の額縁は、本発明４において、前記ドットパターンは、全部又は一部が光を透過する透明又は半透明な部材で形成されていることを特徴とする。
【００１４】
本発明６の額縁は、全部又は一部が光を透過する透明又は半透明の部材で形成された絵画、写真、ポスター、賞状、ジグソーパズルその他の鑑賞物を入れる額縁であって、前記鑑賞物の周囲の全部又は一部を縁取るように設置され、前記鑑賞物を支える枠と、前記鑑賞物の周囲の一部に設置され、電力の供給を受けて発光する光源と、平板状に形成され、前記光源からの光を側面から受けて面発光する導光板と、前記導光板は、前記鑑賞物の裏面側を覆うように設置されることを特徴とする。
【００１５】
本発明７の額縁は、本発明６において、前記導光板には、前記光源から受けた光を反射する複数のドットパターンが形成されていることを特徴とする。
【００１６】
本発明８の額縁は、本発明７において、前記導光板は、射出成形により形成され、前記ドットパターンは、前記導光板に一体に取り付けられていることを特徴とする。
【００１７】
本発明９の額縁は、本発明８において、前記ドットパターンは、全部又は一部が光を透過する透明又は半透明な部材で形成されていることを特徴とする。
【００１８】
本発明１０の額縁は、本発明９において、前記ドットパターンは、全部又は一部が光を透過する透明又は半透明な部材で形成されているを特徴とする。
【００１９】
本発明１１の額縁は、本発明７において、前記ドットパターンは、前記導光板に印刷されて取り付けられているを特徴とする。
【００２０】
本発明１２の額縁は、本発明１１において、前記ドットパターンは、オフセット印刷、グラビア印刷、活版印刷、フレキソ印刷及びスクリーン印刷から選択される少なくとも１の印刷方法により印刷されているを特徴とする。
【００２１】
本発明１３の額縁は、本発明１２において、前記導光板を覆い、前記ドットパターンを隠す被覆部材が設置されるを特徴とする。
【００２２】
本発明１４の額縁は、本発明１３において、前記被覆部材は、光を透過する半透明の紙又はフィルムであるを特徴とする。
【００２３】
本発明１５の額縁は、本発明２から１４のいずれかにおいて、前記ドットパターンは、前記光源に近づく側が疎らであり、前記光源より遠ざかる側が密になるように、前記導光板に取り付けられているを特徴とする。
【００２４】
本発明１６の額縁は、本発明１から１５のいずれかにおいて、前記光源は、前記導光板の上方向側の前記側面に沿うように並べられた複数のＬＥＤであるを特徴とする。
【発明の効果】
【００２５】
本発明の額縁は、鑑賞物の表面に対して光をまんべんなく照らすことができる。また、本発明の額縁は、構成が単純で部品点数が少なく、組み立てが容易である。
【図面の簡単な説明】
【００２６】
【図１】図１は、本発明の実施の形態１を適用した額縁１の外観図である。
【図２】図２は、額縁１を分解した状態を示した外観図である。
【図３】図３は、枠１０の背面図である。
【図４】図４は、図３のＲ１部分を破断して、上枠１１に取り付けられた基板２１の状態を示す外観図である。
【図５】図５は、図１をα−α線で切断した状態を示す一部断面図である。
【００２７】
【図６】図６は、図５のＲ２部分を拡大した一部拡大断面図であり、額縁１を移動する光の軌跡を描いた説明図である。
【図７】図７は、図５のＲ３部分を拡大した一部拡大断面図であり、額縁１を移動する光の軌跡を模式的に描いた説明図である。
【図８】図８は、本発明の実施の形態２の額縁１０１を分解した状態を示した図であり、実施の形態１の図２に相当する外観図である。
【図９】図９は、額縁１０１の一部断面図であり、実施の形態１の図５に相当する断面図である。
【００２８】
【図１０】図１０は、図９のＲ４部分を拡大した一部拡大断面図であり、額縁１０１を移動する光の軌跡を描いた説明図である。
【図１１】図１１は、図９のＲ５部分を拡大した一部拡大断面図であり、額縁１０１を移動する光の軌跡を模式的に描いた説明図である。
【図１２】図１２は、本発明の実施の形態２を適用した額縁１０１の外観図である。
【図１３】図１３は、額縁２０１の一部断面図であり、実施の形態１の図５に相当する断面図である。
【図１４】図１４は、図１３のＲ６部分を拡大した一部拡大断面図である。
【図１５】図１５は、導光板２３０の表面側に被覆部材２８０を設置した状態を示す一部拡大断面図である。
【発明を実施するための形態】
【００２９】
〔本発明の実施の形態１〕
以下、本発明の額縁１について、図面に基づいて、本発明の実施の形態１として詳細に説明する。図１は、本発明の実施の形態１を適用した額縁１の外観図である。図２は、額縁１を分解した状態を示した外観図である。図３は、枠１０の背面図である。図４は、図３のＲ１部分を破断して、上枠１１に取り付けられた基板２１の状態を示す外観図である。図５は、図１をα−α線で切断した状態を示す一部断面図である。
【００３０】
図１に示すように、矢印Ｆ方向を前方向とし、その逆方向である矢印Ｂ方向を後方向として説明を行う。水平面内で前後方向と直交する一の方向である矢印Ｌ方向を左方向とし、直交する他の方向である矢印Ｒ方向を右方向として説明を行う。前後方向及び左右方向と直交する上側の方向である矢印Ｕ方向を上方向とし、下側の方向である矢印Ｄ方向を下方向として説明を行う。また、導光板３０、写真Ａ１及び裏板５０の前方向（矢印Ｆ方向）側の面を表面として、その逆方向である後方向（矢印Ｂ方向）側の面を裏面として説明する。
【００３１】
〔額縁１〕
図１に示すように、実施の形態１の額縁１は、鑑賞物として写真Ａ１を入れて飾るための写真立てである。図２乃至図４に示すように、額縁１は、枠１０、ＬＥＤ２０、導光板３０、裏板５０及び留具７０とから構成されている。額縁１は、図２に示すように、導光板３０と裏板５０との間に写真Ａ１を挟んで組み立てて、図１に示すように、所定の場所に飾ることにより使用される。図１及び２に示すように、本例においては、写真Ａ１には花が写されている。
【００３２】
〔枠１０〕
枠１０は、写真Ａ１を収納し支える骨組みであり、図２及び３に示すように、上枠１１、下枠１２、右枠１３及び左枠１４とから構成されている。上枠１１は、図３に示すように、細長い台形形状に形成され、図５に示すように、断面からみると略Ｊ字形状に形成されている。下枠１２は、図３に示すように、細長い台形形状に形成され、図５に示すように、断面からみると略Ｌ字形状に形成されている。右枠１３及び左枠１４も、図３に示すように、細長い台形形状に形成され、図示していないが、断面からみると略Ｌ字形状に形成されている。上枠１１、下枠１２、右枠１３及び左枠１４とが組み合わせられると、図３に示すような、矩形形状の枠１０となり、矩形形状の開口１０ｈが形成される。
【００３３】
開口１０ｈは、その内形寸法が写真Ａ１の外形寸法より小さく形成されている。例えば、開口１０ｈは、本例では幅８４ｍｍで高さ１２２ｍｍになるように内形寸法が形成されている。上枠１１には、図３及び４に示すように、導光板３０、写真Ａ１及び裏板５０を載置するための平面である上枠載置部１１ｃが形成されている。上枠載置部１１ｃは、図３に示すように、上枠１１の開口１０ｈ側に形成され、図４及び５に示すように、裏側から表側にかけて低くなるように形成された段差である。
【００３４】
図３に示すように、下枠１２、右枠１３及び左枠１４にも、上枠１１と同様に開口１０ｈ側に、平面である下枠載置部１２ｃ、右枠載置部１３ｃ及び左枠載置部１４ｃが形成されている。枠１０は、上枠載置部１１ｃ、下枠載置部１２ｃ、右枠載置部１３ｃ及び左枠載置部１４ｃが組み合わせられて、載置部１０ｃが形成されている。載置部１０ｃは、その内形寸法が写真Ａ１の外形寸法と同一又はやや大きくなるように形成されている。例えば、載置部１０ｃは、幅８９ｍｍで高さ１２７ｍｍになるように内形寸法が形成されている。
【００３５】
図３に示すように、上枠１１には、留具７０が２個取り付けられている。留具７０は、上枠１１に導光板３０、写真Ａ１及び裏板５０を固定するための部品である。留具７０は、上枠１１に例えばネジ止めして固定され、回転させることで導光板３０、写真Ａ１及び裏板５０の着脱をすることができる。下枠１２、右枠１３及び左枠１４にも同様に留具７０が２個ずつ取り付けられている。
【００３６】
図４に示すように、上枠１１には、基板２１を収納するための光源収納部１１ｒが形成されている。光源収納部１１ｒは、図３に示すように、上枠１１の一端から他端にかけて細長い矩形形状に形成され、図４に示すように、上枠載置部１１ｃに隣接するように形成された溝である。図３及び４に示すように、光源収納部１１ｒには、基板２１が収納されている。
【００３７】
〔ＬＥＤ２０〕
ＬＥＤ２０は、導光板３０を面発光させるための光源である。ＬＥＤ２０は、図３に示すように、細長い板状に形成された基板２１に所定の間隔で１６個取り付けられている。ＬＥＤ２０は、図４に示すように、下方向（矢印Ｄ方向）側に向くように設置され、図５に示すように、導光板３０の上方向（矢印Ｕ方向）側の側面に向くように基板２１に設置されている。基板２１は、図５に示すように、導光板３０の上方向（矢印Ｕ方向）側の側面に沿うように設置されている。
【００３８】
基板２１は、特に図示していないが、電源線に接続されており、電力が供給されることでＬＥＤ２０が発光する。電力は、電源線に電源プラグを接続して、電源コンセント等の外部電源より供給しても良いし、電源線に電池を接続して供給しても良い。なお、特に図示していないが、電源線には、電流のオン、オフを切り替える主電源ボタンが取り付けられている。本例においては、基板２１は、後述する光溜まりＧを形成するために、上方向（矢印Ｕ方向）側に設置される上枠１１に取り付けられている。しかし、光溜まりＧ（図１参照）を形成する必要がないのであれば、基板２１は、上枠１１以外の下枠１２、右枠１３、左枠１４に取り付けても良い。
【００３９】
〔導光板３０〕
導光板３０は、その側面に設置されたＬＥＤ２０から発光された光を写真Ａ１側へ照射するためのシートである。図２に示すように、導光板３０は、写真Ａ１の表面側を覆うように設置されている。導光板３０は、写真Ａ１の外形寸法と同一に形成されており、本例では、幅が約８９ｍｍ、高さが１２７ｍｍの大きさの略矩形形状の平板である。導光板３０は、射出成形により形成されており、全部又は一部が光を透過する透明又は半透明なアクリル樹脂で形成されている。導光板３０の表面には、導光板３０を平面光源化するためのドットパターン４０が形成されている。
【００４０】
〔ドットパターン４０〕
ドットパターン４０は、ＬＥＤ２０から照射された光を反射して、導光板３０を平面光源化するための反射部材である。図６及び７に示すように、本例において、ドットパターン４０は、射出成形で製造される導光板３０に一体に形成されている。ドットパターン４０は、導光板３０の表面から前方向（矢印Ｆ方向）側に突出するように形成された微細な半円球形状のレンズの集りで形成されている。例えば、ドットパターン４０は、図６に示すように、ＬＥＤ２０の近い部分では疎らになるように設置されている。
【００４１】
また、ドットパターン４０は、図７に示すように、ＬＥＤ２０より離れた部分では密になるように設置されている。ドットパターン４０は、導光板３０と同様に全部又は一部が光を透過する透明又は半透明なアクリル樹脂で形成されている。このようにドットパターン４０が設置されていることにより、導光板３０には光が効率良く均一に行き渡り、導光板３０が平面光源化する。なお、導光板３０に設置されるレンズの径は、例えば、ＬＥＤ２０に近い部分では小さくし、離れている部分では大きくしても良い。
【００４２】
〔裏板５０〕
裏板５０は、写真Ａ１を裏から押さえるための木製の平板である。図２に示すように、裏板５０は、写真Ａ１の裏面側を覆うように設置されている。裏板５０は、写真Ａ１の外形寸法と同一に形成されており、幅が約８９ｍｍ、高さが１２７ｍｍの大きさに形成されている。裏板５０には、額縁１を立てかけて飾ることができるように支持板６０が取り付けられている。
【００４３】
〔額縁１の使用方法〕
次に、額縁１の使用方法について図１、図６及び図７に基づいて説明する。図６は、図５のＲ２部分を拡大した一部拡大断面図であり、額縁１を移動する光の軌跡を描いた説明図である。図７は、図５のＲ３部分を拡大した一部拡大断面図であり、額縁１を移動する光の軌跡を模式的に描いた説明図である。
【００４４】
額縁１は、図１に示すような平らな載置面（例えば、机等）に載置されて飾られる。額縁１は、主電源ボタンをＯＮにすることで電力がＬＥＤ２０に供給され、ＬＥＤ２０が発光する（図示せず）。図６及び７に示すように、導光板３０の一の側面から入射した光は、導光板３０の内部で表面側と裏面側に向かう。導光板３０の裏面側に向かった光は、写真Ａ１を照射する。導光板３０の表面側に向かった光は、ドットパターン４０で乱反射されて、導光板３０の裏面側に向かい写真Ａ１を照射する。また、ドットパターン４０をすり抜けて導光板３０より漏れた光は、図１に示すように、額縁１の前の載置面に光溜まりＧを形成する。
【００４５】
ドットパターン４０は、図５及び図６に示すように、ＬＥＤ２０に近い部分では疎らになるように設置されている。ドットパターン４０は、図５及び図７に示すように、ＬＥＤ２０より離れた部分では密になるように設置されている。導光板３０の裏面は、光源であるＬＥＤ２０の近い部分でも、離れている部分でも均一な光が照射される。このように導光板３０の裏面は、輝度ムラのない均一な面発光をするので、写真Ａ１は、その表面全体に対して光がまんべんなく照射される。そして、写真Ａ１は、あたかも写真Ａ１自身が発光しているように見える。また、額縁１は、構成が単純で部品点数が少なく、組み立てが容易である。
【００４６】
〔本発明の実施の形態２〕
次に、本発明の実施の形態２を図面に基づいて詳細に説明する。なお、この実施の形態２の額縁１０１は、前述した実施の形態１の額縁１とほぼ同様の構成であり、異なる構成の部分のみ説明をする。図８は、本発明の実施の形態２の額縁１０１を分解した状態を示した図であり、実施の形態１の図２に相当する外観図である。図９は、額縁１０１の一部断面図であり、実施の形態１の図５に相当する断面図である。図１０は、図９のＲ４部分を拡大した一部拡大断面図であり、額縁１０１を移動する光の軌跡を描いた説明図である。図１１は、図９のＲ５部分を拡大した一部拡大断面図であり、額縁１０１を移動する光の軌跡を模式的に描いた説明図である。図１２は、本発明の実施の形態２を適用した額縁１０１の外観図である。
【００４７】
〔ジグソーパズルＡ２〕
まず、額縁１０１は、額縁１と比較して、鑑賞物として入れて飾る物が光が透過する透明又は半透明な合成樹脂で製造されたジグソーパズルＡ２である点が異なる。図８及び９に示すように、本例においては、組み合わされたジグソーパズルＡ２には蝶と花が印刷されている。図示していないが、ジグソーパズルＡ２は、透明素材である２枚の硬質シートに透明素材である１枚の軟質シートが挟まれた積層構造に形成されている。硬質シートは、ポリプロピレンで形成され、軟質シートは、主成分がポリプロピレンで従成分がオレフィン型熱可塑性エラストマーで形成されている。
【００４８】
なお、硬質シートは、ポリプロピレン以外のものでも良く、例えば、ポリ塩化ビニル、ポリエチレン、ポリスチレン及びポリエチレンテレフタラートから選択される一種以上の熱可塑性合成樹脂であっても良い。また、軟質シートの主成分は、ポリプロピレン以外のものでも良く、ポリ塩化ビニル、ポリエチレン、ポリスチレン及びポリエチレンテレフタラートから選択される一種以上の熱可塑性合成樹脂であっても良い。また、軟質シートの従成分は、オレフィン系熱可塑性エラストマー以外のものでも良く、スチレン系熱可塑性エラストマー及びポリエステル系熱可塑性エラストマーから選択される一種以上の熱可塑性エラストマーであっても良い。
【００４９】
〔導光板１３０〕
また、図１０及び１１に示すように、額縁１０１は、額縁１と比較して、導光板１３０を取り付ける位置と向きが異なる。図８に示すように、導光板１３０は、ジグソーパズルＡ２の裏面側を覆うように設置されている。ドットパターン１４０は、導光板１３０の裏面から後方向（矢印Ｂ方向）側に突出するように形成された微細なレンズの集りで形成されている。導光板１３０は、導光板３０と同様に全部又は一部が光を透過する透明又は半透明のアクリル樹脂で形成されている。なお、導光板１３０は、実施の形態１の導光板３０を裏返しにして使用しても良い。
【００５０】
〔表板１５０〕
さらに、額縁１０１は、額縁１と比較して、裏板５０を使用せず、全部又は一部が光を透過する透明又は半透明な表板１５０を使用している点が異なる。表板１５０は、ジグソーパズルＡ２を表から押さえるための合成樹脂製の平板である。図８に示すように、表板１５０は、ジグソーパズルＡ２の表面側を覆うように設置されている。表板１５０は、全部又は一部が光を透過する透明又は半透明のアクリル製の平板である。図８に示すように、表板１５０は、ジグソーパズルＡ２の外形寸法と同一に形成されている。
【００５１】
〔額縁１０１の使用方法〕
次に、額縁１０１の使用方法について図１０乃至図１２に基づいて説明する。額縁１０１は、額縁１と異なり、壁などに掛けられて飾られる。図８及び図９に示すように、枠１０には、表板１５０、ジグソーパズルＡ２及び導光板１３０の順番に重ね合わせられて載置されている。額縁１は、主電源ボタンをＯＮにすることで電力がＬＥＤ１２０に供給され、ＬＥＤ１２０が発光する（図示せず）。
【００５２】
図１０及び図１１に示すように、導光板１３０の一の側面から入射した光は、導光板１３０の内部で表面側と裏面側に向かう。導光板１３０の表面側に向かった光は、ジグソーパズルＡ２を照射する。導光板１３０の裏面側に向かった光は、ドットパターン１４０で乱反射されて、導光板１３０の表面側に向かいジグソーパズルＡ２を照射する。
【００５３】
ドットパターン１４０は、図９及び図１０に示すように、ＬＥＤ１２０に近い部分では疎らになるように設置されている。ドットパターン１４０は、図９及び図１１に示すように、ＬＥＤ１２０より離れた部分では密になるように設置されている。導光板１３０の表面は、光源であるＬＥＤ１２０の近い部分でも、離れている部分でも均一な光が照射される。このように導光板１３０の表面は、輝度ムラのない均一な面発光をするので、ジグソーパズルＡ２は、その裏面全体に対して光がまんべんなく照射される。
【００５４】
導光板１３０は、様々な角度から光をジグソーパズルＡ２の裏面を照射する。このように、ジグソーパズルＡ２は、様々な角度から光を照射されるため、図１２に示すように、その切れ目が見えなくなる。つまり、額縁１０１は、ジグソーパズルＡ２を飾っているにもかかわらず、あたかも、ステンドガラスを飾っているように見える。導光板１３０から照射された光は、ジグソーパズルＡ２及び表板１５０を透過する。このため、ジグソーパズルＡ２を含めた額縁１０１全体が光っているように見える。
【００５５】
〔本発明の実施の形態３〕
次に、本発明の実施の形態３を図面に基づいて詳細に説明する。なお、この実施の形態３の額縁２０１は、前述した実施の形態１の額縁１とほぼ同様の構成であり、異なる構成の部分のみ説明をする。また、実施の形態３のジグソーパズルＡ３と表板２５０は、それぞれ、実施の形態２のジグソーパズルＡ２と表板１５０とほぼ同様の構成のため、詳細な説明は省略する。図１３は、額縁２０１の一部断面図であり、実施の形態１の図５に相当する断面図である。図１４は、図１３のＲ６部分を拡大した一部拡大断面図である。
【００５６】
図１４に示すように、額縁２０１は、額縁１と比較して、導光板２３０を取り付ける位置と向きが異なり、ドットパターン２４０の構造が異なる。導光板２３０は、全部又は一部が光を透過する透明又は半透明のアクリル樹脂で形成されている。図１３及び１４に示すように、導光板２３０は、ジグソーパズルＡ３の裏面側を覆うように設置されている。ドットパターン２４０は、ドットパターン４０及びドットパターン１４０と同様に、ＬＥＤ２２０から照射された光を反射して、導光板２３０を平面光源化するための反射部材である。
【００５７】
ドットパターン２４０は、導光板２３０の表面に印刷された微細な円筒形状のドットの集りで形成されている。ドットパターン２４０は、導光板２３０の裏面から後方向（矢印Ｂ方向）側に突出するように形成されている。ドットパターン２４０は、導光板２３０に白色のインクをシルクスクリーン方式で印刷して形成されている。なお、ドットパターン２４０は、実施の形態１のドットパターン４０と同様に、ＬＥＤ２２０の近い部分では疎らになるように設置しても良い。
【００５８】
また、ドットパターン２４０は、実施の形態１のドットパターン４０と同様に、ＬＥＤ２２０より離れた部分では密になるように設置しても良い。なお、導光板２３０は、裏返しにしてドットパターン２４０が前方向（矢印Ｆ方向）側に向くように使用しても良い。本例において、ドットパターン２４０は、白色インクを導光板２３０にシルクスクリーン印刷方式で印刷している。しかし、オフセット印刷、グラビア印刷、活版印刷、フレキソ印刷及びスクリーン印刷等他の印刷方法で印刷しても良い。
【００５９】
導光板２３０の表面が面発光する様子は、実施の形態２の導光板１３０が面発光する様子とほぼ同様であるので詳細な説明は省略する。なお、導光板２３０は、ＬＥＤ２２０を発光させて面発光するとその明るさでドットパターン２４０が見えなくなる。実施の形態３の導光板２３０には、ドットパターン２４０がシルクスクリーン印刷で印刷されて形成されている。これに対し、実施の形態１及び２の導光板３０、１３０には、ドットパターン４０、１４０が射出成形で一体に形成されている。つまり、印刷で形成される導光板２３０は、射出成形で形成される導光板３０、１３０と比較して安価に製造することができる。
【００６０】
〔本発明の実施の形態４〕
次に、本発明の実施の形態４を図面に基づいて詳細に説明する。なお、この実施の形態４の額縁２０１は、前述した実施の形態３の額縁２０１に被覆部材２８０を使用した点のみが異なるので、その部分のみ説明をする。図１５は、導光板２３０の表面側に被覆部材２８０を設置した状態を示す一部拡大断面図である。被覆部材２８０は、導光板２３０のドットパターン２４０を隠すための部材である。
【００６１】
本例において、被覆部材２８０は、白色の半透明の紙で形成されており、導光板２３０の外形寸法と同一に形成されている。被覆部材２８０は、図１５に示すように、ジグソーパズルＡ３と導光板２３０との間に挟まれた状態でドットパターン２４０を隠す。このように、被覆部材２８０を使用することで、ＬＥＤ２２０を消灯させて導光板２３０が消灯したときもドットパターン２４０が見えなくなる。
【００６２】
以上、本発明の種々の実施の形態を説明したが、本発明は、この実施の形態に限定されることはない。本発明の目的、趣旨を逸脱しない範囲内での変更が可能なことはいうまでもない。本例において、額縁１、１０１、２０１は、いわゆる写真立て及びジグソーパズル用パネルで説明をした。しかし、他の鑑賞物を入れるものであっても良いことはいうまでもない。例えば、油彩額、仮縁、デッサン額、和額、色紙額、短冊額、賞状額、証書額、叙勲額、叙位額、褒章額、ポスターパネル及び手ぬぐい額等であっても良い。また、本発明の構成を、鏡、時計、フォトフレーム等に用いても良いことはいうまでもない。
【００６３】
枠１０は、木製のもので説明したが、他の部材であっても良く、例えば、押出成形されたアルミニウムを使用しても良い。光源としては、点光源であるＬＥＤ２０、１２０、２２０を使用したが、点光源に限らず、光源として冷陰極管等の線光源を使用しても良い。ドットパターン４０、１４０、２４０は、導光板３０、１３０に一体に形成されているが他の方式で形成されていても良い。例えば、導光板３０、１３０、２３０にスタンパーやインジェクションで凹凸をつけて形成しても良い。
【００６４】
なお、ドットパターン４０、１４０及び２４０の形状としては、凸レンズ形状や円柱形状に限らず、例えば、円形、楕円形、方形、三角形、多角形等でも良い。つまり、導光板３０、１３０、２３０の内部を移動して光を出射する面に導けるものであれば、ドットパターン４０、１４０、２４０はどのような形状でも良い。ドットパターン２４０は、白色のインクをシルクスクリーン方式で印刷しているが、他の色でも良い。また、被覆部材２８０は、半透明の紙を使用したが、ドットパターン２４０を隠せるのであれば半透明のフィルム等他の部材でも良い。さらに、被覆部材２８０は、ドットパターン２４０の白色にあわせて白色の半透明の紙を使用したが、他の半透明の紙でも良い。
【符号の説明】
【００６５】
１        ：額縁
２        ：導光板
１０      ：枠
１０ｃ    ：載置部
１０ｈ    ：開口
１１      ：上枠
１１ｃ    ：上枠載置部
１１ｒ    ：光源収納部
１２      ：下枠
１２ｃ    ：下枠載置部
１３      ：右枠
１３ｃ    ：右枠載置部
１４      ：左枠
１４ｃ    ：左枠載置部
２０      ：ＬＥＤ
２１      ：基板
２４      ：反射シート
３０      ：導光板
４０      ：ドットパターン
５０      ：裏板
６０      ：支持板
７０      ：留具
１０１    ：額縁
１３０    ：導光板
１４０    ：ドットパターン
１５０    ：表板
Ａ１      ：写真
Ａ２      ：ジグソーパズル
【図１】
2015142708.tif 000003
【図２】
2015142708.tif 000004
【図３】
2015142708.tif 000005
【図４】
2015142708.tif 000006
【図５】
2015142708.tif 000007
【図６】
2015142708.tif 000008
【図７】
2015142708.tif 000009
【図８】
2015142708.tif 000010
【図９】
2015142708.tif 000011
【図１０】
2015142708.tif 000012
【図１１】
2015142708.tif 000013
【図１２】
2015142708.tif 000014
【図１３】
2015142708.tif 000015
【図１４】
2015142708.tif 000016
【図１５】
2015142708.tif 000017